(57)【要約】      （修正有）【課題】現在使用されているパソコンの１枚のパソコンモニターに対して、新規に広告用の広告機能専用画像表示モニターを追加したものである。【解決手段】１枚のパソコンモニターには、内部の中央にパソコン機能専用画像表示モニターを設け、該パソコン機能専用画像表示モニターの外周に複数の広告機能専用画像表示モニターを配設し、該パソコン機能専用画像表示モニターには、裏面にモニター区分ソフト機器と、パソコン機能専用機器及び広告機能専用機器を収納装設する。更に、裏面には、強制的広告表示機能装置、広告分類種目別表示装置を装設してある。【選択図】図１
2010181849.tif 000002
【特許請求の範囲】
【請求項１】
広告モニター付パソコン本体（１）の１枚のパソコンモニター（２）には、外部に電源スイッチ（５）を設け、該パソコンモニター（２）には、内部の中央にパソコン機能専用画像表示モニター（３）を設置し、該パソコン機能専用画像表示モニター（３）の外周部分に複数の広告機能専用画像表示モニター（４）（４）を設置し、該パソコン機能専用画像表示モニター（３）の裏面には、画像表示モニターを区分表示するモニター区分ソフト機器（６）と、パソコン機能専用機器（７）及び広告機能専用機器（８）を収納配設した事を特徴とする広告モニター付パソコン。
【請求項２】
請求項１におけるパソコン機能専用画像表示モニター（３）の裏面には、強制的広告画像表示機能装置（９）、広告分類種目別表示装置（１０）及びポイント履歴装置（１３）とを各々収納装設した請求項１の広告モニター付パソコン。
【請求項３】
請求項２における強制的広告画像表示機能装置（９）に換えて選択別広告表示装置（１１）を装設した請求項２の広告モニター付パソコン。
【請求項４】
請求項１におけるパソコン機能専用画像表示モニター（３）の外周に設けた広告機能専用画像表示モニター（４）（４）の一方を広告専用表示モニター（４−１）とし、他方を分類種目別一覧表示モニター（４−２）とした請求項１の広告モニター付パソコン。
【請求項５】
パソコン本体（１）に内蔵する広告の情報を記憶する記憶装置機器（１５）をインターネットで接続した該記憶装置機器（１５）には、広告情報通信接続機器（１６）を経由してインターネットで接続し、該広告情報通信接続機器（１６）は広告情報管理機器（１７）に伝達する請求項１の広告モニター付パソコン。
【発明の詳細な説明】
【技術分野】
【０００１】  本発明は、現在使用されているパソコンと異なり、新規に広告機能専用表示モニターを該パソコンに追加装設したもので、１枚のパソコンモニターに従来からのパソコン機能専用画像表示モニターと、該パソコン機能専用画像表示モニターの外周部に新規に広告機能専用画像表示モニターを装設して、同時に両者の画像を併設表示できるようにし、該パソコンと広告モニターの２種類のモニターが、該パソコンの電源スイッチをＯＮにすると自動的に同時に稼動して、パソコンを使用しながら自動的に広告の表示がされるようにした広告モニター付パソコンに関するものである。
【背景技術】
【０００２】  従来この種の市販されているパソコンは、そのパソコンの機能のみをモニターに表示する方法のみが使用されている現状である。
現在は、ようやく通信会社又はプロバイダーが自社通信を利用する顧客に対してのみ、種類と品質を限定したパソコンに関し、その購入費を半分以上も負担してパソコンを安く販売すると云う現象が生じているものであるが、やはり大半のパソコンは大変に高額であり、個人が手軽に購入できない等の不便があり、購買意欲が減退しているため、パソコンの普及が大変に遅いのが現状である。
【発明の概要】
【発明が解決しようとする課題】
【０００３】  上記従来の問題点であるパソコンは高額であり、生活に便利でありながら普及が遅い等の問題があるが、該パソコンが安価になれば、多くの人々にパソコンを使用する機会が増え、且つパソコンを介在した情報等が容易に入手しやすく、生活に多大な利便をもたらす事が出来るものである。本発明では、該パソコンの価格を安価にする方法として、該パソコンの使用時間と同時間同一のパソコンに広告画像を表示して、その個々のパソコンに表示されることによる広告放映収入が図られ、該広告放映収入の一部をパソコン所有者に前払い還元をして、パソコン価格を安価に販売して多くの人々に普及を促進するメリットを与える多機能化された広告モニター付パソコンを目的としている。
【課題を解決するための手段】
【０００４】  上記目的を達成するために、本発明の広告モニター付パソコンにおいては、パソコン本体のモニター枠全体に位置する１枚のモニターの内部の中央にパソコン用モニターを設置する。該パソコン用モニターの外周部に新規に広告画像表示モニターを配置する。次に該パソコン用モニターの裏面には、パソコン機能専用画像表示モニターと広告機能専用画像表示モニターの２種類がモニター区分ソフト機器とパソコン機能専用機器と、広告機能専用機器を内蔵してある。該パソコン機能専用機器と該広告機能専用機器とが同時に稼動して、各モニターには、それぞれにパソコン機能表示と広告機能表示がなされるようになっている。
また、パソコン用のモニターには、裏面に特定のプロバイダーに強制的に接続する、パソコン使用中に広告を強制的に表示することが出来る強制的広告画像表示機能装置を内装する。更に、様々な広告画像を表示する一般広告とは別に、広告内容を使用者が選択できるようにするための広告分類種目別表示装置を内装してある。また、使用者が強制的広告を希望しない場合は、広告収入を前払してパソコンを低額で購入しないことを選択できる選択別広告表示装置を装設してある。そして、ポイント履歴装置は、広告の分類種目別一覧表示モニターをクリックした場合には、そのクリックの回数及び広告表示時間に応じてポイント制を採用して、クリックによるポイントを記憶させるポイント履歴装置をネット通信接続機器経由で広告情報管理機器に通信して、パソコン所有者にポイント分の商品又は金銭が得られるものである。
【発明の効果】
【０００５】  本発明は、以上のように構成されている広告モニター付パソコンによれば、パソコン本体に電源スイッチを入れると、１枚のモニターにパソコン専用モニターと広告専用モニターとが同時に稼動するので、モニターを有効に使用でき且つ多大な広告収入を確実に得られると共に、必要に応じては、装設位置及び大小に広告専用モニターを自由変更でき、大変に便利である効果と、パソコン本体を広告収入に応じて安価に提供できる特有な効果がある。また、広告が広告専用モニターに表示できる選択別広告表示装置によっては、パソコン本体の使用時間帯に分類及び項目別に専用的な趣味別等の広告が映し出されるため、広告を楽しく興味を持って見ることができる効果がある。更に、分類種目別一覧表示モニターをクリックする毎に、その分各種の趣味別の広告効果を著しく高める効果がある。
【図面の簡単な説明】
【０００６】
【図１】  本発明の広告モニター付パソコンの全体正面図である。
【図２】  同じく本発明の図１の縦断側面図である。
【図３】  本発明の広告を詳細に見る場合にモニター表示が変更することを記載した広告モニター付パソコンの全体正面図である。
【図４】  本発明の図１の内部に強制的広告画像表示機能装置を内蔵した縦断側面図である。
【図５】  同じく本発明の図１の内部に選択別広告表示装置を内蔵した縦断側面図である。
【図６】  本発明のパソコン広告表示システムの配設図を示したものである。
【発明を実施するための最良の形態】
【０００７】  本発明の最良の形態を説明すると、パソコンの電源スイッチをＯＮにすると、同時に中央部のパソコン機能専用画像表示モニターと、その外周部分の広告機能専用画像表示モニターとの各々のパソコン機能表示と、広告が画像表示されるようにしたモニター区分ソフト機器、パソコン機能専用機器、広告機能専用機器を内蔵し、更に、特定のプロバイダーに強制的に接続できる強制的接続機器及び広告機能専用画像表示モニターが強制的に映し出させる強制的広告画像表示機能装置を内蔵作動させる。
また、広告をより専門的に表示できる項目、分類別の例えば男女別、年齢別、趣味別の分類種目別一覧表表示モニターを映し出させるための広告分類種目別表示装置を装設作動させ、その広告分類種目別表示装置をクリックした回数及び広告表示時間を記憶させて広告情報通信接続機器にクリック回数等を通信するポイント履歴装置によって広告情報管理機器に伝達するものである。
【実施例】
【０００８】  本発明の実施例を図面について説明すると、図１に示すものは、広告モニター付パソコン本体（１）を示し、その内側に１枚のパソコンモニター（２）を設け、該パソコンモニター（２）には、中央部分にパソコン機能専用画像表示モニター（３）を設け、該パソコン機能専用画像表示モニター（３）の外周部分の縦方向又は横方向に複数の広告機能専用画像表示モニター（４）（４）を装設する。また、パソコンモニター（２）の外周の所定位置に電源スイッチ（５）を装着してある。
次に、図２に示すものは、パソコン本体（１）のモニターの裏面側の内部で、上部にパソコン機能と、広告用機能を区分して画像表示する機能を持ったモニター区分ソフト機器（６）、その下部にパソコン機能専用機器（７）と広告機能専用機器（８）を収納装設してある。
また、図３に示すものは、広告表示が専門的になる場合の広告専用表示モニター（４−１）と、一般的広告モニターから検索する項目、分類別に別広告により詳細な広告表示する場合に、分類種目別一覧表示モニター（４−２）をクリックして該広告専用表示モニター（４−１）に専門的広告が切替る機能を持たせてある。
次に図４に示すものは、パソコン本体（１）の中央部には、パソコン機能専用画像表示モニター（３）を、パソコンモニター（２）の外周部分には、広告の画像を表示する広告機能専用画像表示モニター（４）を位置し、１枚のモニターの裏面内側には、上部よりパソコン機能と、広告用機能の２種類の画像とを区分表示する機能を持ったモニター区分ソフト機器（６）、パソコン機能専用機器（７）及び広告機能専用機器（８）と、強制的広告画像表示機能装置（９）と、広告分類種目別表示装置（１０）及びポイント履歴装置（１３）を内蔵装設したものを示している。
また、図５に示す実施例は、図４に示すものを一部変更したもので、該強制的広告画像表示機能装置（９）を取り除いて、替わりに広告をするかどうかを選択が可能な選択別広告表示装置（１１）を装設したものである。
次に、図６に示す実施例のものは、パソコン購入後、パソコンを使用する時に同時に広告表示がされた場合、その広告表示を分類別により表示する際に、クリック回数及び広告表示時間に分類種目別一覧表示モニター（４−２）を使用して詳細で専門的広告がモニターに映し出される。クリック回数及び広告表示時間に応じてパソコン使用者に広告収入の一部を還元する。
そして、上記の広告情報をインターネットに接続して、広告情報管理機器（１７）にポイント履歴等を伝達するシステムである。
以上のシステムを稼動させるためには、パソコン本体（１）に内装されている広告の情報を記憶させる記憶装置機器（１５）にソフトシステムを記憶させて、広告情報通信接続機器（１６）（１６）からインターネットで接続してポイント等の履歴を広告情報管理機器（１７）に伝達するものである。
【産業上の利用可能性】
【０００９】  現在使用されているパソコンは、生活に便利であるが、普及が大変に遅い問題点がある。これはパソコンが非常に高額であり、このパソコンに広告専用モニターを装設することで、広告料の料金をパソコンの購入者に還元してパソコンを安く販売することが可能となり、普及に貢献できるものである。
【符号の説明】
【００１０】１          パソコン本体
２          パソコンモニター
３          パソコン機能専用表示モニター
４          広告機能専用画像表示モニター
４−１      広告専用表示モニター
４−２      分類種目別一覧表表示モニター
５          電源スイッチ
６          モニター区分ソフト機器
７          パソコン機能専用機器
８          広告機能専用機器
９          強制的広告画像表示機能装置
１０        広告分離種目別表示装置
１１        選択別広告表示装置
１３        ポイント履歴装置
１５        記憶装置機器
１６        広告情報通信接続機器
１７        広告情報管理機器
【図１】
2010181849.tif 000003
【図２】
2010181849.tif 000004
【図３】
2010181849.tif 000005
【図４】
2010181849.tif 000006
【図５】
2010181849.tif 000007
【図６】
2010181849.tif 000008